(57)【要約】【課題】  本発明は、洗髪者、被洗髪者の双方にとって好ましく、健常者や自立した車椅子使用者が洗面、洗髪、髭剃り、歯磨き、化粧等を行う場合でも使いやすい洗面器具を提供することを目的とする。【解決手段】  本発明に係る洗面器具の代表的な構成は、ボウル部とそのボウル部を取り囲む縁部とを有し、洗髪者が仰向け状態の被洗髪者の洗髪作業を行い得る洗面器具であって、前記縁部は、被洗髪者の肩に対応した手前側の位置が緩やかに内側に湾曲し、その湾曲した位置に被洗髪者の後頭部を保持する後頭部保持面を有し、前記後頭部保持面は、ボウル部に向かって緩やかに傾斜し、該後頭部保持面の左右の前記縁部の内周縁が外側に突出し、洗髪者が被洗髪者の後頭部の洗髪作業のために手を挿入し得る空間を形成していることを特徴とする。【選択図】      図１
2006320652.tif 000002
【特許請求の範囲】
【請求項１】
ボウル部とそのボウル部を取り囲む縁部とを有し、洗髪者が仰向け状態の被洗髪者の洗髪作業を行い得る洗面器具であって、
前記縁部は、被洗髪者の肩に対応した手前側の位置が緩やかに内側に湾曲し、その湾曲した位置に被洗髪者の後頭部を保持する後頭部保持面を有し、
前記後頭部保持面は、ボウル部に向かって緩やかに傾斜し、
該後頭部保持面の左右の前記縁部の内周縁が外側に突出し、洗髪者が被洗髪者の後頭部の洗髪作業のために手を挿入し得る空間を形成していることを特徴とする洗面器具。
【請求項２】
前記後頭部保持面の内周縁は、左右から中央部に向かって緩やかに下方に湾曲していることを特徴とする請求項１に記載の洗面器具。
【請求項３】
前記後頭部保持面の外周縁は同じ高さであることを特徴とする請求項１又は請求項２に記載の洗面器具。
【請求項４】
前記ボウル部は、左右方向の中央において手前側が前端から排水口にかけて円弧状に傾斜しており、前記円弧の前端と中間点とを結ぶ直線が43度から48度の傾斜角度を有し、
前記後頭部保持面と連続的に一体成形したことを特徴とする請求項１〜請求項３のいずれか１項に記載の洗面器具。
【請求項５】
ボウル部の左右方向の中央かつ前後方向の奥側に凹状のポケットを形成し、前記ボウル部に沿って前記ポケットの左右いずれの側にも水栓器具を取り付け得る水栓器具取り付け面を形成したことを特徴とする洗面器具。
【請求項６】
前記ポケット及び前記水栓器具取り付け面をボウル部の周囲全周にわたってボウル部に向かって緩やかに傾斜した縁部に形成したことを特徴とする請求項５に記載の洗面器具。
【請求項７】
一体成形した天板とバックガードとを有し、前記バックガードの天板からの立上がり高さを100ｍｍから180ｍｍとしたことを特徴とする請求項５又は請求項６に記載の洗面器具。
【請求項８】
前記ポケットの奥側の立ち上り面と前記バックガードの立ち上がり面とが同一面を構成するように前記ポケットと前記バックガードとを一体成形したことを特徴とする請求項７に記載の洗面器具。 
【発明の詳細な説明】
【技術分野】
【０００１】
本発明は、洗髪者が仰向け状態の被洗髪者の洗髪作業を行い得る洗面器具に関するものである。
【背景技術】
【０００２】
従来の介護施設用あるいは理容施設用の洗面器具として、ボウル部の手前側の側面を下方に凹状に狭くえぐった形状とし、このえぐった部分で被洗髪者の頚部を保持するものがある（特許文献１参照）。この洗面器具では、被洗髪者は仰向けになってえぐった部分に頚部を入れ、ボウル部に頭部を入れる。そして、洗髪者は、上記の状態の被洗髪者の頭部を洗髪する。
【０００３】
また、健常者が自分で洗髪するための洗面器具として、水が肘を伝わって床に落ちることを防止したものがある（特許文献２参照）。
【０００４】
【特許文献１】意匠登録第６４８３５９号公報
【特許文献２】実用新案登録第２５１８７４３号公報
【発明の開示】
【発明が解決しようとする課題】
【０００５】
しかしながら、特許文献１に記載の洗面器具は、頚部を保持する部分が下方に凹状に狭くえぐられている。このため、以下の問題があった。（１）頚部を圧迫され被洗髪者の苦痛を伴う。（２）被洗髪者が頚部の筋力の弱い高齢者などの場合、洗髪者が被洗髪者の頭部が垂れ下がらないように抱え込み支える必要があり、洗髪者に肉体的な負荷がかかる。また、両手が使えず洗髪作業がしにくい。さらに、被洗髪者は頭部の安全を洗髪者に委ねるしかなく被洗髪者に不安感を与える。（３）身体と頭部が一直線上にあり顔が正面（上方）を向いた状態の被洗髪者を器具に対しほぼ直角に配置して使用するように設計されている為、筋肉の緊張により頭部が傾いだ状態にある被洗髪者の洗髪作業には使用しくい。（４）頭部の向きを変えにくく、後頭部を洗い流す場合シャワーを上向きにする必要が生じ、この際に水が飛散しやすい。（５）被洗髪者の頭部を洗面器具にセッティングする作業がしにくい(頭部の昇降作業が必要。あるいは特別な昇降装置が必要。)。
【０００６】
また、特許文献１に記載の洗面器具は、仰向け状態の被洗髪者の頭髪を洗髪者が洗髪するという行為に対する専用設計である。このため、健常者や自立した車椅子使用者が洗面や洗髪を行う際の使い勝手が考慮されていない。例えば、健常者の一般的な洗面、洗髪、歯磨き、髭剃り、化粧、洗濯(手洗いでの洗濯)等の行為に使用した場合にカウンター等上記行為に必要な備品類を置く場所をボウルの近傍に備えていないので不便である。また、溜めた水をすくって洗顔する場合にボウルが深く縁の部分が急角度で立ち上がっているので腕と縁の部分が干渉し水がすくい難い。さらに、えぐれた部分から水が飛散しやすい。従って、健常者と高齢者等の要介護者が同居し、かつ複数の洗面器具を備えることが難しい家庭に導入した場合、健常者に不便を強いるという問題があった。
【０００７】
また、特許文献２に記載の洗面器具は、健常者や車椅子使用者等で着座の姿勢であれば自ら洗髪することが可能な人の洗髪行為のために考案されたものであり、要介護者等自ら洗髪することができない被洗髪者をストレッチャー等に仰向け状態で乗せ、介助者が要介護者の頭髪を洗髪するという行為に適した形状を備えていないため介護用としては使いにくいという問題があった。
【０００８】
そこで本発明は、洗髪者、要介護者等の被洗髪者の双方にとって好ましく、高齢者や子供も含めた健常者や自立した車椅子使用者が洗面や洗髪を行う場合でも使いやすい洗面器具を提供することを目的とする。
【課題を解決するための手段】
【０００９】
上記課題を解決するために本発明に係る洗面器具の第１の構成は、ボウル部とそのボウル部を取り囲む縁部とを有し、洗髪者が仰向け状態の被洗髪者の洗髪作業を行い得る洗面器具であって、前記縁部は、被洗髪者の肩に対応した手前側の位置が緩やかに内側に湾曲し、その湾曲した位置に被洗髪者の後頭部を保持する後頭部保持面を有し、前記後頭部保持面は、ボウル部に向かって緩やかに傾斜し、該後頭部保持面の左右の前記縁部の内周縁が外側に突出し、洗髪者が被洗髪者の後頭部の洗髪作業のために手を挿入し得る空間を形成していることを特徴とする。
【００１０】
また、本発明に係る洗面器具の第２の構成は、前記第１の構成の洗面器具において、前記後頭部保持面の内周縁は、左右から中央部に向かって緩やかに下方に湾曲していることを特徴とする。
【００１１】
また、本発明に係る洗面器具の第３の構成は、前記第１又は第２の構成の洗面器具において、前記後頭部保持面の外周縁は同じ高さであることを特徴とする。
【００１２】
また、本発明に係る洗面器具の第４の構成は、前記第１〜第３のいずれかの構成の洗面器具において、前記ボウル部は、左右方向の中央において手前側が前端から排水口にかけて円弧状に傾斜しており、前記円弧の前端と中間点とを結ぶ直線が43度から48度の傾斜角度を有し、前記後頭部保持面と連続的に一体成形したことを特徴とする。
【００１３】
また、本発明に係る洗面器具の第５の構成は、ボウル部の左右方向の中央かつ前後方向の奥側に凹状の「ポケット」を形成し、前記ボウル部に沿って前記ポケットの左右いずれの側にも水栓器具を取り付け得る水栓器具取り付け面を形成したことを特徴とする。
【００１４】
また、本発明に係る洗面器具の第６の構成は、前記第５の構成の洗面器具において、前記ポケット及び前記水栓器具取り付け面をボウル部の周囲全周にわたってボウル部に向かって緩やかに傾斜した縁部に形成したことを特徴とする。
【００１５】
また、本発明に係る洗面器具の第７の構成は、前記第５又は第６の構成の洗面器具において、一体成形した天板とバックガードとを有し、前記バックガードの天板からの立上がり高さを100ｍｍから180ｍｍとしたことを特徴とする。
【００１６】
また、本発明に係る洗面器具の第８の構成は、前記第７の構成の洗面器具において、前記ポケットの奥側の立ち上り面と前記バックガードの立ち上がり面とが同一面を構成するように前記ポケットと前記バックガードとを一体成形したことを特徴とする。
【発明の効果】
【００１７】
以上説明したように、第１の構成の洗面器具では、洗髪者が被洗髪者の後頭部の洗髪作業のために手を挿入し得る空間を設けたことにより、被洗髪者の頭部の真横からではなく、手前側から手を入れて洗髪作業を行うことができ、洗髪者の身体に負荷がかかりにくく、かつ洗髪作業が容易になる。
【００１８】
また、頚部ではなく後頭部を広い面で支持でき、自然な姿勢で被洗髪者の頭部を支持できる。従って、被洗髪者の頚部に負荷をかけることがないので被洗髪者に苦痛を与えることを抑制できる。また、洗髪者も被洗髪者の頭部を保持する必要がなく、両手を使って少ない負荷で、容易かつ短時間で洗髪作業を行うことができる。また、洗髪者が保持しなくとも被洗髪者の頭部を支持できる為、被洗髪者が不安感を感じることなく、安心して洗髪作業を洗髪者に委ねることができる。
【００１９】
また、後頭部保持面が左右に長くかつ一直線状ではなく内側に緩やかに湾曲している為、被洗髪者の身体を洗面器具に対してある程度自由な位置や角度で配置でき、様々な状態にある被洗髪者の身体的な制約への対応力が高い。また、洗面器具の設置された空間の広さや形状にあわせて身体の配置を決定することが可能であるので、空間的な制約への対応力も高い。
【００２０】
また、被洗髪者の肩に対応した位置が緩やかに内側に湾曲し、被洗髪者の肩の形状に対応しているため、洗面器具と被洗髪者の身体との間に隙間ができにくく、隙間を塞ごうとして身体を無理に洗面器具に近づけてしまい洗面器具が被洗髪者の肩にあたって被洗髪者に苦痛を与える、ということもない。さらに、縁部が内側に向かって傾斜している為、縁部に滴下した水はボウルに向かって流れるので縁部の外に水が流れ出すことを抑制できる。
【００２１】
また、後頭部保持面は、高齢者や子供を含む健常者や車椅子使用者等が介助なしで行う通常の洗髪、歯磨き、化粧等の行為の際に肘の支持面としても利用可能であり、長時間腕を上げた状態をとる必要がないので前記行為の自立を促すことができるとともに、前腕部を伝って落ちてくる水を縁部３で受けてボウル部に導くことができる。
【００２２】
また、第２の構成の洗面器具では、後頭部保持面が下方に緩やかに湾曲しているので、後頭部の支持面が広くなり、被洗髪者の後頭部に痛みを与えることがなく、また頭部の安定度も向上させることができる。
【００２３】
また、頭の向きを容易に変えることができ、後頭部を洗い流す場合でも後頭部を横に向けて洗い流すことで、頭部を持ち上げる必要がない。また、この際、シャワーを上向きにする必要がなく、水の飛散を防ぐことができる。
【００２４】
また、第３の構成の洗面器具では、被洗髪者を後頭部保持面の外周縁と高さを揃えたストレッチャー等に仰向けにしてのせ、ストレッチャー等と後頭部保持面の外周縁を突き合わせた状態で被洗髪者を洗面器具の方へ水平移動させて配置することができる。従って、頭部の昇降作業をしたり、特別な昇降装置を用いたりすることなく、容易に被洗髪者の頭部を洗面器具にセッティングすることができる。
【００２５】
また、健常者の一般的な使用(洗面、洗髪、手洗いの洗濯等)においても水の滴下や飛散が防止できる。従って、健常者と高齢者等の要介護者が同居する家庭等へ導入しても健常者が不便を感じることなく快適に使用することができる。
【００２６】
また、第４の構成の洗面器具では、後頭部保持面とボウル部の傾斜角度を変えることにより、被洗髪者の後頭部に洗髪者が手をまわして洗髪するという作業が一層しやすくなる。尚、角度をあまり急激に変化させる(ボウル部のほうを急傾斜とする)と、万が一、被洗髪者の身体が洗面器具側に移動してしまった場合に頭部がずれ落ちてしまうが、この程度の角度の差であればボウル部で頭部を十分保持でき、安全性を高めることができる。
【００２７】
また、第５の構成の洗面器具では、シャンプー等の容器を収納するポケットが中央にある為、手の届きにくい低い位置に収納された容器であっても、洗髪者が被洗髪者のどちら側に立って洗髪作業をしても無理なくシャンプー等の容器に手が届く。また、水栓器具取り付け位置の設定の自由度が高いので、被洗髪者が洗面器具に対してどのように配置され洗髪者が被洗髪者のどちら側に立つか（例えば、身体的状況から被洗髪者の身体を洗面器具の中心から左側に振って配置しなければならない場合、洗髪者の立つ位置は被洗髪者の右側になる）に応じて、あるいは洗髪行為についての自立者の身体の配置状況や機能状況に応じて位置を決定することができる。
【００２８】
また、第６の構成の洗面器具では、水栓器具やポケットをボウル方向に傾斜した縁部に設けることによって、水栓器具から滴下する水や、水栓器具やシャンプー等の容器を操作した際に濡れた手から滴下する水を縁部で受け止めてボウル方向に導き、周囲を水で濡らすことを抑制できる。従って、清掃作業の負荷を軽減することができるとともに、水で濡らしたくない乾いたタオル等を手の届きやすいボウル部近傍の天板に置いて洗髪などが行えるので作業効率が向上する。
【００２９】
また、第７の構成の洗面器具では、バックガードが高く立上がっている為、バックガードをポケットに収容されたシャンプー等の容器を操作したり取り出したりした場合に、洗面器具の背面の壁や鏡に手についた水が飛散したりシャンプー等が付着して汚れることを抑制できる。
【００３０】
また、第８の構成の洗面器具では、ポケットの奥側の垂直面は一体化されたバックガードと同一面を形成している。従って、バックガードのうち汚れが付着する頻度が最も高いポケット直上の部分については、付着した汚れをシャワー水栓等を使用して容易に洗い流し、ポケットの底面の排水口から速やかに排出することができる。
【発明を実施するための最良の形態】
【００３１】
本発明に係る洗面器具の実施形態について、図を用いて説明する。図１は洗面器具の斜視図である。図２は使用状態における洗面器具の上視図である。図３（ａ）は仰向け状態の被洗髪者の後頭部を後頭部保持面で支持した状態を示す図である。図３（ｂ）は仰向け状態で洗髪者が被洗髪者の前頭部、頭頂部、両側面を洗髪する状態を示す図である。図３（ｃ）は被洗髪者の頭部を横にして後頭部を洗髪する状態を示す図である。図４は椅子に腰掛けた状態で自ら洗面や洗髪などの行為を行う場合の使用状態を示す図である。
【００３２】
（洗面器具１の構成）
まず、洗面器具１の構成について説明する。図１に示すように、洗面器具１は、ボウル部２、縁部３、天板４を有し、洗髪者が仰向け状態の被洗髪者の洗髪作業を行い得る洗面器具である。
【００３３】
ボウル部２は、ＰＴＴ（ポリトリメチレンテレフタレート）等の合成樹脂によって凹状に成形されている。合成樹脂製とすることによって肉厚を薄くしてボウル下方の空間を広く確保することが可能となり、車椅子を利用して、或いは椅子等に腰掛けて自ら洗面や洗髪等の行為を行う場合に身体を洗面器具に近接することが可能である。
【００３４】
ボウル部２の平面形状は、略そら豆形となっており、被洗髪者側（手前側）が緩やかに内側に湾曲しており、奥側が緩やかに外側に湾曲した形状となっている。ボウル部２の底部には、排水口２ａが設けられている。図３（ａ）に示すように、ボウル部２の断面形状は、前面はゆるやかに傾斜し奥側の面は直立に近い急傾斜となっている。そして、奥側の面の直下の最深部には排水口が設けられている。
【００３５】
ボウル部前面の傾斜は排水口まで連続し洗浄水は速やかに排出されるので、洗浄後の水がボウル部２に滞留して、あるいは一時的に滞留した水に含まれている頭皮の老廃物や石鹸カス等がボウル部底面に付着して頭髪を汚す、ということがなく衛生的である。なお、最深部（排水口）の深さは、例えばボウル部２の左右方向の中心位置における手前側の端部から排水口の前端までの水平投影寸法を270ｍｍとした場合、縁部３の外周縁から200ｍｍを基準にしてその前後およそ30ｍｍの範囲に設定するのが好ましい。
【００３６】
ボウル部前面の傾斜は緩勾配でボウル部２の奥側に位置する排水口まで連続している為、ボウル下方（裏側）の空間を広く取ることができ、車椅子を利用して、或いは椅子等に腰掛けて自ら洗面や洗髪などを行う場合に身体を洗面器具に近接することが可能である。この為、身体を無理に乗り出す必要がなく、水の飛散や滴下も抑制することができる。
【００３７】
縁部３は、ボウル部２の縁から外側に向かって連設しており、ボウル部２を囲うように環状に形成されている。また縁部３は、全周にわたってほぼ同一の巾に形成されており、縁部３に落ちた水がボウル部２へと流れ落ちるように外側から内側に向かって下方に緩やかに傾斜している。
【００３８】
また縁部３は、ボウル部２と同様にＰＴＴ等の合成樹脂にてボウル部２と一体成形されている。従って、継ぎ目に止水の為のシール材を充填することがないので、汚れやカビが付着しにくく衛生的である。また、被洗髪者の身体に直接接触する縁部３を合成樹脂製とすることで、陶器のように冷たさを感じる事がない。さらに、肉厚を薄くして縁部に弾力性を持たせることができ、後頭部や肘を載せても被洗髪者は痛みを感じる事がない。
【００３９】
図２に示すように、縁部３は、手前側の被洗髪者Ａの肩部に対応した位置が緩やかに内側に湾曲し、その湾曲した位置が被洗髪者Ａの後頭部を保持する後頭部保持面３ａを形成している。従って後頭部保持面３ａも、他の縁部３と同様に外側から内側に向かって下方に緩やかに傾斜している。
【００４０】
後頭部保持面３ａでの保持を想定する後頭部の範囲は、およそ第７頚椎から外後頭隆起までの範囲であり、その巾は水平投影寸法で100ｍｍを基準として前後およそ30ｍｍの範囲であることが好ましい。また、その傾斜角度は24度を基準にその前後およそ5度の範囲が好ましい。
【００４１】
このようにして後頭部保持面３ａを形成することにより、被洗髪者が極端に顎をひいた状態や顎を上げた状態になることなく、頭部を自然で安定した状態に保つことができ、かつ洗髪作業にも適した状態が保たれる。
【００４２】
後頭部保持面３ａの左右の縁部３の内周縁Ｌ１が外側に突出し、その突出部Ｌ１ａの底部が後頭部保持面３ａよりも急な傾斜角度で深さを増していくことによって、洗髪者Ｂが被洗髪者Ａの後頭部の洗髪作業のために手を挿入し得る空間Ｓを形成している。
【００４３】
外周縁Ｌ１における左右の突出部の先端（最突出点）間の寸法（両突出部先端に接する接線の接点間の長さ）は、350ｍｍを基準としてその前後およそ30ｍｍの範囲が好ましい。
【００４４】
また、左右の突出部の先端から内側への湾曲部の最奥点（縁部と左右方向の中心線が交わる点）までの奥行き方向の寸法は、例えば左右の突出部の先端（最突出点）間の寸法が350ｍｍの場合、25ｍｍを基準としてその前後およそ５ｍｍの範囲が好ましく、最奥点と最突出点とのほぼ中間点に反曲点（円弧の向きの切り替わる点）を有するように曲線が描かれているのが好ましい。
【００４５】
洗髪者Ｂが被洗髪者Ａの後頭部の洗髪作業のために手（腕）を挿入し得る空間Ｓを設けたことにより、被洗髪者Ａの頭部の真横からではなく、手前側から手を入れて洗髪作業を行うことができ、洗髪作業か容易になる。
【００４６】
また、頚部ではなく後頭部を広い面で支持でき、自然な姿勢で被洗髪者Ａの頭部を支持できる。従って、被洗髪者Ａに苦痛を与えることを抑制できる。また、洗髪者Ｂも被洗髪者Ａの頭部を保持する必要がなく、両手を使って少ない負荷で、容易かつ短時間で洗髪作業を行うことができる。
【００４７】
また、後頭部保持面が左右に長くかつ全体に下方に湾曲している為、頭の向きを容易に変えることができ、後頭部を洗い流す場合でも頭部を横に向けて洗い流すことで、頭部を持ち上げる必要がなく、シャワーヘッド５ａを下に向けて洗い流せるので水の飛散を防ぐことができる。
【００４８】
また、後頭部保持面は一直線状ではなく内側に緩やかに湾曲している為、被洗髪者の身体を洗面器具に対してある程度自由な位置や角度で配置でき、様々な状態にある被洗髪者の身体的な制約への対応力が高い。例えば、頚部の一方の側の筋肉の緊張により被洗髪者の頭部の軸と身体の軸とが一致せず「く」の字になっている場合であっても被洗髪者を無理なく配置することができる。
【００４９】
また、洗面器具の設置された空間の広さや形状にあわせて身体の配置を決定することが可能であるので、空間的な制約への対応力も高い。例えば、洗面所の奥行き寸法が小さく被洗髪者の身体を奥行き方向に一致するように配置できない場合、被洗髪者の身体を左右いずれかの方向に振ることで配置可能とすることができる。
【００５０】
また、被洗髪者Ａの肩に対応した位置が緩やかに内側に湾曲し、被洗髪者Ａの肩の形状に対応しているため、洗面器具１と被洗髪者Ａの身体との間に隙間ができにくく、床へ水が垂れることを抑制できる。
【００５１】
また、後頭部保持面３ａは、高齢者や子供を含む健常者や車椅子使用者等が介助なしで行う通常の洗髪、歯磨き、化粧等の行為の際に肘の支持面としても利用可能であり、長時間腕を上げた状態をとる必要がないので前記行為の自立を促すことができるとともに、前腕部を伝って落ちてくる水を縁部３で受けてボウル部２に導くことができる。
【００５２】
縁部３の内周縁Ｌ１は奥側が最も高く左右に回り込むにつれて徐々に低くなっていき、後頭部保持面３ａを形成している手前側においては、左右（後頭部保持面３ａの周方向両側）３ａ２から中央部３ａ１に向かって緩やかに下方に湾曲している。これにより、後頭部保持面３ａの中央部３ａ１では、被洗髪者Ａの頭部を更に安定させることができる。
【００５３】
なお、後頭部保持面３ａの下方への湾曲度合いは、例えば正面水平位置から見た際に、ほぼ円弧状であり、内周縁Ｌ１における左右３ａ２の突出点間の幅を350ｍｍとした場合に、内周縁突出点と内周縁手前側中心の高さの差が10ｍｍを基準としてその前後およそ５ｍｍの範囲となるように曲率を設定するのが好ましい。なお、左右３ａ２の突出点間の幅を増減した場合も前記曲率に基づいて内周縁突出点と内周縁手前側中心の高さの差を設定する。
【００５４】
後頭部保持面３ａを含む縁部３の外周縁Ｌ２は、同じ高さに形成されている。このため、被洗髪者Ａを後頭部保持面３ａの外周縁Ｌ２と高さを揃えたストレッチャー等に仰向けにしてのせ、ストレッチャー等と後頭部保持面３ａの外周縁Ｌ２を突き合わせた状態で被洗髪者Ａを洗面器具の方へ水平移動させて配置することができる。従って、頭部の昇降作業をしたり、特別な昇降装置を用いたりすることなく、容易に被洗髪者Ａの頭部を洗面器具にセッティングすることができる。
【００５５】
また、後頭部保持面３ａは下方に狭くえぐられていない為、被洗髪者Ａが不安感を感じることなく、安心して洗髪することができる。また、健常者の一般的な使用(洗面、洗髪、洗濯)においても水の滴下や飛散が防止できる。従って、健常者と高齢者等の要介護者が同居する家庭等へ導入することができる。
【００５６】
後頭部保持面３ａは、天板４から手前側に突出するように形成されている。これにより、洗髪者Ｂが突出部Ｌ１ａに対応して突出した外周縁Ｌ２の突出部Ｌ２ａの横に立つことができ、被洗髪者Ａにより近づいて洗髪作業を行うことができ、洗髪作業が容易となる。
【００５７】
ボウル部２は、左右方向の中央において手前側が前端から排水口２ａにかけて円弧状に傾斜しており、前記円弧の前端と中間点とを結ぶ直線が43度から48度の傾斜角度を有し、後頭部保持面３ａと連続的に一体成形されている。このようにボウル部２の傾斜角度を設定することにより、被洗髪者Ａの後頭部に洗髪者Ｂが手をまわして洗髪するという作業がしやすくなる。尚、角度をあまり急激に変化させる(ボウル部２のほうを急傾斜とする)と、万が一、被洗髪者Ａの身体が洗面器具１側に移動してしまった場合に頭部がずれ落ちてしまうが、この程度の角度の差であればボウル部２で頭部を十分保持でき、安全性を高めることができる。
【００５８】
縁部３の奥側の中央にはポケット７が形成され、縁部３の面上かつポケット７の近傍にシャワー水栓５、ハンドル６が配設されている。シャワー水栓５は、引き出し自在なシャワーヘッド５ａが可撓性を有するホース５ｂに接続されて形成されている。ハンドル６は、シャワーの水量、水温を調整可能な水栓である。ポケット７は、凹状に形成されており、ポケット７内にシャンプーやリンス、ハンドソープ等の容器を収容することができる。
【００５９】
ポケット７を縁部３の内部かつ中央に設けたことで、洗髪時に容易に手が届き、濡れた手で扱っても縁部３の外に水が垂れることがない。また、ポケット７を縁部３の奥側の中央に設けることで、右手でも左手でも、シャンプー等を取りやすくしている。また、ポケット７の底に排水口７ａを設けることで、ポケット７内に水が溜まることがなく、衛生的であり、シャワー水栓５でポケット７内を簡単に清掃することができる。さらに、ポケット７の排水口７ａとボウル部２のオーバーフロー排水口２ｂを近接させることにより、排水の受け皿部を共有化し１本の排水管で排水することが可能となり、ボウル下方の排水部材（不図示）の構成を単純化でき施工性や美観を向上させることができる。
【００６０】
縁部３の下方（裏側）には全周にわたってシャワー水栓５及びハンドル６と図示しない給水・給湯管とを接続し得る空間が形成されている。従って、被洗髪者の洗髪状態での身体の位置や洗髪等の行為における自立者の身体機能に応じて、縁部３の任意の位置に孔を穿ってシャワー水栓５及びハンドル６を配設することが可能である。従って、例えば身体的状況から被洗髪者の身体を洗面器具の中心から左側に振って配置しなければならない場合は洗髪者は被洗髪者の右側に立って作業するのが好ましく、その際には水栓器具は右側に配設することができる。また、例えば自ら洗髪等の行為を行いたい場合で機能する手が左手のみであり肘を完全に伸ばすことができない場合には、水栓器具を左側の手前寄りの位置に配設することができ、洗髪等の行為の自立を促すことができる。
【００６１】
また、縁部３は全周にわたってボウル部方向に向かって傾斜しているので、シャワー水栓５及びハンドル６を濡れた手で操作する場合や水をかけて清掃する場合も縁部３の外に水が垂れにくい。従って水で濡らしたくない乾いたタオル等を手の届きやすいボウル部近傍の天板に置いて洗髪などが行えるので作業効率が向上する。また、縁部３の奥側の傾斜角度を緩やか（およそ3度から8度）に設定することにより、物を置いても滑り落ちることがなく、歯ブラシ、カミソリ、洗髪用ブラシ等使用後に水を切ってから収納したい備品を一時的に置いておいておくのに都合がよい。
【００６２】
洗面器具１は、天板４と一体に形成されている。洗面器具１と天板４を別体で構成することも可能であるが、継ぎ目がなく止水の為のシール材が不要で、汚れやカビが付着しにくい一体成形品が好ましい。
【００６３】
洗面器具１は、天板４を介して使用者の状態に応じた高さに設置可能で、健常者から車椅子使用者まで広範囲に対応できる。天板４は側面や背面の壁に固定した桟やＬ字状の金具等によって支持してもよいし、不図示の床面に設置された洗面化粧台に載置して支持してもよい。但し車椅子使用者の利便性を考えた場合は、下の脚部や車椅子本体が干渉しないようにボウル部２の下方には空間が設けられているのが好ましい。
【００６４】
天板４とバックガード８は一体成形されており、バックガード８は一般的な洗面器具よりも高く構成されている。従って、バックガード８をポケット７に収容されたシャンプー等の容器を操作したり取り出したりした場合に、洗面器具の背面の壁や鏡に手についた水が飛散したりシャンプー等が付着して汚れることが抑制できる。またポケット７の奥側の垂直面７ｂは一体化されたバックガード８と同一面を形成している。従ってバックガード８のうち汚れが付着する頻度が最も高いポケット７直上の部分については、付着した汚れをシャワー水栓等を使用して容易に洗い流し、ポケット７の底面の排水口から速やかに排出すことができる。
【００６５】
バックガード８の高さは、汚れの付着が想定される高さ（シャンプー等の容器の胴部を手でつかむ場合の手のひらの高さ）と付着した汚れをシャワー水栓で洗い流す場合の水の飛散を考慮しておよそ100ｍｍから180ｍｍに設定するのが好ましい。
【００６６】
なお、ポケット７やバックガード８についても、ＰＴＴ等の合成樹脂で一体成形することによって、ボウル部２とポケット７の境界部の立ち上がり部分やバックガード８の肉厚を薄くすることが可能であり、洗面器具１の奥行き寸法を無駄なく確保することや軽量化を図ることができる。また、水栓器具を配設する位置の穴あけ加工も容易であるので、洗面器具を据え付けた後に使用者に施工現場に立ち会ってもらい、実際に使用状態を確認しながら水栓器具の最適位置を決定した上で天板４の穴あけ加工や水栓器具の配設をすることが可能であり、使用者にとって最も好ましい洗面器具とすることができる。
【００６７】
（洗面器具１の使用方法）
ここで、洗面器具１の使用方法について説明する。まず、図２、図３（ａ）に示すように、被洗髪者Ａを後頭部保持面３ａの外周縁Ｌ２と高さを揃えたストレッチャー等10に仰向けにしてのせ、ストレッチャー等10と後頭部保持面３ａの外周縁Ｌ２を突き合わせた状態で被洗髪者Ａを洗面器具１の方へ水平移動させて配置する。そして、被洗髪者Ａの後頭部を後頭部保持面３ａ上に乗せて保持する。
【００６８】
この状態で、洗髪者Ｂは、被洗髪者Ａの横（突出部Ｌ２ａの横）に立ち、空間Ｓに手や腕を入れて洗髪作業を行う。この際、図３（ｂ）に示すように、被洗髪者Ａは、洗髪者Ｂの頭部を両手を使って洗髪したり、片手でシャワーヘッド５ａを持って洗髪したりする。
【００６９】
そして、図３（ｃ）に示すように、前頭部、頭頂部、両側面を洗った後、被洗髪者Ａの頭部を横（左右）に傾けた状態で後頭部保持面３ａで保持し、後頭部を横に向けて後頭部を洗う。
【００７０】
また、椅子にすわった状態で自ら洗面、洗髪、歯磨き、整髪、化粧などの行為を行う場合は、図４に示すように、後頭部保持面３ａの左右の縁部３に肘をついた状態で前記行為が行える。従って、例えば筋力が衰えるなどして長時間腕を上げた状態を維持することが困難な高齢者等に対して前記行為の自立を促すことができ、介助者の負担を軽減することができる。
【産業上の利用可能性】
【００７１】
本発明の活用例として、洗面や洗髪について自立している健常者や車椅子使用者にも使いやすく設計されているので、医療施設、介護施設、理容施設に限らず、一般住宅にも広く利用することができる。
【図面の簡単な説明】
【００７２】
【図１】本実施形態にかかる洗面器具の斜視図である。
【図２】使用状態における洗面器具の上視図である。
【図３】（ａ）仰向け状態の被洗髪者の後頭部を後頭部保持面で支持した状態を示す図である。（ｂ）仰向け状態で洗髪者が被洗髪者の前頭部、頭頂部、両側面を洗髪する状態を示す図である。（ｃ）被洗髪者の頭部を横にして後頭部を洗髪する状態を示す図である。
【図４】椅子に腰掛けた状態で自ら洗面や洗髪などの行為を行う場合の使用状態を示す図である。
【符号の説明】
【００７３】
Ａ…被洗髪者、Ａ１…肩部、Ｂ…洗髪者、Ｌ１…内周縁、Ｌ１ａ…突出部、Ｌ２…外周縁、Ｌ２ａ…突出部、Ｓ…空間、１…洗面器具、２…ボウル部、２ａ…排水口、２ｂ…オーバーフロー排水口、３…縁部、３ａ…後頭部保持面、３ａ１…中央部、３ａ２…左右、４…天板、５…シャワー水栓、５ａ…シャワーヘッド、６…ハンドル、７…ポケット、７ａ…排水口、７ｂ…垂直面、８…バックガード、10…ストレッチャー
【図１】
2006320652.tif 000003
【図２】
2006320652.tif 000004
【図３】
2006320652.tif 000005
【図４】
2006320652.tif 000006